(57)【要約】【課題】マイナスイオンの放出と、複数の香源から任意の香りを選択発香でき、小室内から広室内まで広範囲に適正な発香量を提供できるとともに香りを楽しんだ後に残香を消臭し室内空気を浄化する。【解決手段】、 イオン拡散口３１と香り拡散口３２を持ち外周面に可視光応答型光触媒をコーティングした本体カバー３０を本体ベース１０上面に装着し、本体ベース１０内に吸気送風手段と制御手段２８を設け、本体ベース１０から上方に送風筒１５を立ち上げその上端部にイオン発生ユニット２４と、香料ユニット４０を設置したアクチュエータユニット６０を複数装着し、形状記憶合金ワイヤに通電制御してマイナスイオンの放出と複数の香りから、好みの香りの放出・停止・香りの発生量のコントロールを行う。【選択図】図２
2010167168.tif 000002
【特許請求の範囲】
【請求項１】
香り拡散口３２とイオン拡散口３１を持ち外周面に可視光応答型光触媒をコーティングした本体カバー３０を本体ベース１０の上面中央に装着し、本体ベース１０上面後方に操作設定部１４を設け、本体ベース１０内に吸気送風手段と制御手段を設け、本体ベース１０上面中央から上方に終端に蓋板２０を設けた送風筒１５を立ち上げその上端部付近周囲に複数の開口部を設けて香りユニット接続口１７及びイオンユニット接続口１６としてそれぞれのユニットを装着できるようにして、香りユニット接続口１７には香りアクチュエータユニット６０を装着し、その左右フレーム６１内に起点ワイヤ掛８１とワイヤローラ９１と稼動ワイヤ掛８６を設けて、更に左右フレームの下面より前方に張り出してアクチュエータテーブル７４を設けて香料ユニット４０を設置できるようにし、起点ワイヤ掛８１とワイヤローラ９１と稼動ワイヤ掛８６に駆動用形状記憶合金製ワイヤ１０１を掛け渡し、必要な駆動出力が得られるまで多列に掛け渡してよく、この駆動用形状記憶合金製ワイヤ１０１に通電制御できるようにして自己抵抗による発熱によって駆動用形状記憶合金製ワイヤ１０１を形状記憶変形させて稼動ワイヤ掛け８６を駆動して作動力が得られるようにして、また掛け渡す駆動用形状記憶合金製ワイヤ１０１の一部がフレーム前方に位置するようにして、アクチュエータテーブル７４部に設置された香料ユニット４０の上部に位置する発香ポット４１に接触するように配設して駆動用形状記憶合金製ワイヤ１０１の発熱を伝熱する、同時に稼動ワイヤ掛８６の作動力を発香ポットの側面下方に設けた押下突起４８に作用させ発香ポット４１を押し下げ、発香ポットの内底部のノズル突起４４部に接続されたディスペンサポンプ５４のプランジャ５６を押し下げディスペンサポンプ５４を駆動して香料容器５９内の香料液を発香ポット４１内に吐出させるようにし、発香ポット後側面上部にポットアーム４９を設けポット蓋５０の蓋アーム５１と支点接続してポット蓋５０を開閉できるようにして、発香ポット４１が押し下げられる時に蓋アーム５１がアクチュエータフレーム６１前端部に設けた蓋開きリブ６３の上面に押し当てられ発香ポット４１の下降に従ってポット蓋５０が開かれ香りを放出できるようにして、送風手段からの送風を送風筒１５を経て左右のアクチュエータフレーム６１間を通して発香ポット開口部に導き香りと共に本体カバー３０の香り拡散口３２から放出するようにする、発香ポット４１の後側面下方には掛止突起５８を設け、アクチュエータフレーム６１内に設けたフック９５で発香ポット４１の上昇戻りを掛止めし、このフック９５の解除は解除用形状記憶合金製ワイヤ１０３をフック９５とアクチュエータフレーム間に設けて通電制御できる用にして通電による自己発熱で形状記憶変位をさせフックバネ９４に抗してフック９５の解除を行うことができるようにし、またイオンユニット接続口１６には風道２１を組み付けてマイナスイオン発生器２２を取り付けて放射されたマイナスイオンを送風筒１５から風道２１を経た送風によって本体カバー３０の外周面に設けたイオン拡散口３１から放出するようにしたことを特徴とする空気清浄マイナスイオン香り発生器。
【請求項２】
香料ユニット４０を設置できるようにしたアクチュエータテーブル７４を下面に持つアクチュエータフレーム６１の左右フレーム内に起点ワイヤ掛８１とワイヤローラ９１と稼動ワイヤ掛８６とワイヤ戻しバネ８９と駆動用形状記憶合金製ワイヤ１０１とフック９５とフックバネ９４と解除用形状記憶合金製ワイヤ１０３を設けて、起点ワイヤ掛８１とワイヤローラ９１と稼動ワイヤ掛８６との間に駆動用形状記憶合金製ワイヤ１０１を単列または複数列掛け渡し、掛け渡す駆動用形状記憶合金製ワイヤの１０１一部がアクチュエータフレーム６１前方に位置するようにして、アクチュエータテーブル７４部に設置された香料ユニット４０の上部に位置する発香ポット４１の後側面に接触するようにして、この駆動用形状記憶合金製ワイヤ１０１に通電制御できるようにして通電時の自己抵抗による発熱を発香ポットに伝熱できるようにして、また同時に通電時の自己抵抗による発熱で形状記憶変形させて稼動ワイヤ掛８６を駆動して作動力が得られるようにして、作動限でフック９５を掛止めし保持できるようにして、フック９５とアクチュエータフレーム６１の一端に掛け渡した解除用形状記憶合金製ワイヤ１０３に通電して自己抵抗による発熱で形状記憶変形させてフックバネ９４に抗して掛止めしたフック９５の解除ができるようにして香りアクチュエータユニット６０を構成し、香りアクチュエータユニット６０への通電制御で、香料ユニット４０からの香りの発生と停止並びに発熱量により香りの蒸発拡散量を変化させることを特徴とする請求項１記載の空気清浄マイナスイオン香り発生器。
【請求項３】
前記本体ベース１０内の吸気送風手段によって本体ベース１０側面に設けた吸気口１３から吸気して送風筒１５を介して、香りユニット接続口１７からアクチュエータフレーム６１部を通して本体カバー３０内へ送風し香り拡散口３２から外部に放出させ、またイオンユニット接続口１６から風道２１を通ってイオン拡散口３１から外部へ放出することによって本発明に接する周辺空気の移動及び対流を起こし、本体カバー外周にコーティングした可視光応答型光触媒の環境浄化作用を室内光で発揮させ、放出した香りの残香を分解消臭することを特徴とする請求項１記載の空気清浄マイナスイオン香り発生器。
【発明の詳細な説明】
【技術分野】
【０００１】
本発明は、マイナスイオンを発生し浮遊粉塵を沈降させ、複数の香源から任意の香りを選択して発香できるとともに、香りの効果を十分に活用した後、発香拡散した残香を可視光対応型光触媒で室内空気とともに清浄化・消臭することのできる空気清浄マイナスイオン香り発生器に関するものである。
【背景技術】
【０００２】
従来、香り発生器においては低価格で複数の香源を備え任意の香種を選択することのできる機種が少なく、そのため前回発生した残香を消臭し、新鮮な香りを新たに発するとの考え方の機種が無かった。
【０００３】
従来から香料液を室内に拡散させる方法として、形状記憶合金に通電制御して自己発熱に
よる作動力と発熱の両作用を利用して、香料容器から香料を発香室に移送吐出して加温し
蒸発拡散を行う簡便な機構が開発されている。その方法、装置として下記のものが知られ
ている。
【０００４】
液体香料を収容した香料容器の上部にディスペンサポンプを取付けて、蓋の付いた発香室を隣接して設け、発香室の下部に内蔵するように形状記憶合金製ワイヤを複数列掛け渡して、通電制御して自己抵抗による発熱を利用して上部に接する発香室を加温し、変態温度を超える温度で形状記憶変形して縮小する力を作動力として、リンクを介して垂直方向の作動力に変換し、ディスペンサポンプを押し込み香料を隣接する発香室内にパイプ移送し吐出し、同時にリンクを介した垂直方向の作動力で発香室蓋を開き、香料を蒸発拡散させて香料の発香装置としたもので、本願発明に関連する公知技術として、出願人本人による先行出願の特許文献１を上げることができる。
【先行技術文献】
【特許文献】
【０００５】
【特許文献１】特開２００５−２３７９３５号公報
【発明の概要】
【発明が解決しようとする課題】
【０００６】
しかしながら、上記従来技術は、形状記憶合金製ワイヤへの通電制御で、形状変態温度以上で作動力と蓋の開き作用を得て発香し、形状変態温度以下になるとワイヤ戻しバネ力やディスペンサポンプの反力で初期状態に復帰するため、香りの拡散の維持は、形状変態温度以上の温度範囲で行っており、発香量の制御において大発香量の制御に適しており、微少の発香量制御に課題があった。
【０００７】
また、各部の機構が相互に連携構成され一体化されており、メンテナンス性に課題があった。
【０００８】
近年、香りが生体に及ぼす影響や効果について広く知られるようになってきたことから、状況に応じた香りを必要と感じたとき直ちに得たいとの要望が多くなってきている。
例えば、心の落ち着く鎮静効果のある香りとか、集中力の得やすい香りとか、高揚感が増し幸せに感じられる香りなどを簡便に切り替えて使える機器や装置を望む声が高くなってきている。
【０００９】
人は、同じ匂いを嗅ぎ続けると、嗅覚の順応がおこり感覚低下を来すので、香り発生装置などでは香りのゆらぎ制御などを行い香量を変化させ知覚能力の維持を図っている。
しかしながら、古い香りがいつまでも室内に滞留しているのは好まない傾向があり、香りを楽しんだ後、室内空気の浄化消臭がなされ、次回、また新鮮な香りを楽しみたい、また、
小室内から広室内まで対応でき、あまり設置場所をとらず、低価格で快適な室内環境を得たいという要望を満たす装置が無かったことから本発明はなされたものである。  
【課題を解決するための手段】
【００１０】
香り拡散口３２を頭頂部に持ち、前面側にイオン拡散口３１を持つ本体カバー３０を設け、外周面に可視光応答型光触媒をコーティングし、内空部には後述する香料ユニット４０及びイオン発生ユニット２４が収納されるドーム状のカバーとして本体ベース１０の上面中央部に設けられたカバー用凸面部１１に装着する。
【００１１】
本体ベース１０は、上面後方に操作面１４を持ち左右側面部に吸気口１３を設けて本体ベース１０の内空部に吸気送風手段としてファン取付台２６と送風ファン２７を取付け、制御手段２８として制御基板などを取付け、本体ベース上面のカバー用凸面部１１の上方に送風筒１５を立ち上げ、上部をユニット取付部１６として、その上端部から下方周囲に開口部を設けて、複数の香りユニット接続口１７及びイオンユニット接続口１９とする。
それぞれの接続口の内側である送風筒の内側にユニット取付溝１８を設ける。
送風筒上端には蓋板２０を取り付けられるようにする。
香りユニット接続口１７にはアクチュエータユニット６０を装着し、イオンユニット接続口１９には、イオン風道２１にマイナスイオン発生器２２を取付てイオン発生ユニット２４として装着する。
【００１２】
アクチュエータユニット６０は、そのアクチュエータフレーム６１の前方の左右両外側に蓋開きリブ６３を設け、後方両外側に取付リブ６２を設け、左右フレームの上部をつなぐフレーム上板６４を設け、左右フレーム内に起点ワイヤ掛８１とワイヤローラ９１と稼動ワイヤ掛８６を設けて、更に左右フレームの下面にフレームより前方に張り出してテーブル切込穴７５を持つアクチュエータテーブル７４を設ける。
起点ワイヤ掛８１とワイヤローラ９１と稼動ワイヤ掛８６間に駆動用形状記憶合金製ワイヤ１０１を複数列に掛け渡し、必要な駆動出力が得られるようにし、この駆動用形状記憶合金製ワイヤ１０１に通電制御できるようにして自己抵抗による発熱によって駆動用形状記憶合金製ワイヤ１０１を長さが縮小する形状記憶変形させて稼動ワイヤ掛８６を稼動軸７２を支点として揺動駆動してその先端部で作動出力が得られるようにする。
また掛け渡す駆動用形状記憶合金製ワイヤ１０１の一部がフレーム前方の発香ポット側に位置するようにして、駆動用形状記憶合金製ワイヤ１０１の発熱を熱出力として得られるようにする。
駆動用形状記憶合金製ワイヤへ１０１の通電による作動出力によって押し下げられた後述する発香ポット４１の上昇戻りを阻止するフック９５をアクチュエータフレーム６１内に設け、フックバネ９４で発香ポット４１の後側面下方に設けた掛止突起５８へのフックの掛止作用ができるようにする。これにより駆動用形状記憶合金製ワイヤ１０１への通電を停止又は通電量を制御して変態点温度以下に制御しても後述するポット蓋５０の開状態が維持される。
フック９５体の一部へフック穴９８を設け解除用形状記憶合金製ワイヤ１０３を取付て他端をアクチュエータフレーム６４の一端に固定し通電による自己発熱によって長さが縮小する形状記憶動作をさせフックバネ９４に抗してフック９５の解除ができるようにする。
【００１３】
香料ユニット４０は、香料容器５９上部にディスペンサポンプ５４を取付けて、このディスペンサポンプ５４のパイプ状のプランジャ５６の先端を発香ポット４１の内底部のノズル突起４４部の下面外側に接続して発香ポット４１を支持し、ディスペンサポンプ５４の押し込み作動で香料液がノズル突起４４のノズル溝４６から発香ポット内室４２に吐出されるようにする。
発香ポット４１の後側面上部にポットアーム４９を延長し、ポット蓋５０に設けた蓋アーム５１と開閉支点軸５２で接続してポット蓋５０を開閉できるようにする。またディスペンサポンプ５４の中間外周部にポンプ取付フランジ７７を固着する。アクチュエータテーブル７４のテーブル切込穴７５部にポンプ取付フランジ７７を乗せ香料ユニット４０を設置できるようにする。
このとき、香料ユニット４０の上部に位置する発香ポット４１の後側面の一部がアクチュエータユニット６０の駆動用形状記憶合金製ワイヤ１０１の一部に接触して駆動用形状記憶合金製ワイヤ１０１の発熱を伝熱されるよう配設する。
同時に稼動ワイヤ掛８６の作動力を発香ポット４１の後側面に設けた押下突起４８に作用させ発香ポット４１を押し下げ、発香ポット４１の内底部のノズル突起４４部に接続されたディスペンサポンプ５４のプランジャ５６を押し下げることによってポンプを駆動して香料容器５９内の香料液を発香ポット４１内に吐出させる。
また、発香ポット４１が押し下げられる時に蓋アーム５１がアクチュエータフレーム６１前端部に設けた蓋開きリブ６３の上面に押し当てられ発香ポット４１の下降に従ってポット蓋５０が開かれ香りを放出できるようにして、送風手段からの送風を送風筒１５を経て左右のアクチュエータフレーム６１間を通して発香ポット４１開口部に導き香りと共に本体カバーの香り拡散口３２から放出するようにする。
また、イオン発生ユニット２４から放射されたマイナスイオンを送風筒１５からイオン風道２１を経た送風によって本体カバー３０の外周面に設けたイオン拡散口３１から放出するようにする。
【発明の効果】
【００１４】
本発明のように形状記憶合金製ワイヤへの通電制御によって香りを発する機構を用いると無音で作動し香りの発生がなされ、他のメカニカルな香りの発生方式のような機械音を発せず静粛である。
発香ポットへの香料液の吐出と蓋の開き作動源を駆動用形状記憶合金製ワイヤにより行い、蓋の閉止作動源を解除用形状記憶合金製ワイヤによって行うよう開閉分離したことによって、発香ポットを加温する温度制御範囲が室温から形状記憶合金の変態温度を超えて、繰り返し作動可能な耐熱許容温度範囲まで広がり、広範囲の発香量コントロールが可能になった。
複数の香料ユニットを内蔵して、状況に応じて、香りを直ちに簡便に切り替えられる。
マイナスイオン発生によって浮遊粉塵の沈降を促し、同時に可視光応答型光触媒によって室内光で光触媒作用を発揮し、室内空気の清浄化・空気環境の改善作用がなされる。  
光触媒による有機物分解作用には多少時間がかかることから、香りを発生しその効果を楽しんだ後、次第に消臭効果が発揮され、古い香りの残留を分解低減でき、次回、新たに新鮮な香りの効果を再び楽しむことができる。
本発明の構成によって、複数の香りの持つ効果とマイナスイオン効果と光触媒による室内空気の清浄作用を、小型な機器で、低価格で提供することができる。
マイスナスイオン発生ユニット、香料ユニット、香料ユニットを機能させるアクチュエータユニットとした各部のユニット化によってメンテナンス性が格段に向上した。
【図面の簡単な説明】
【００１５】
【図１】図１は本発明の実施の一例の正面方向から見た要部断面図である。
【図２】図２は本発明の実施の一例の側面方向から見た要部断面図で、香料ユニット            はポット蓋を開き香りを発生している状態を示す。
【図３】図３は本発明の実施の一例の背面方向から見た要部断面図である。
【図４】図４は本発明の実施の一例の斜め前方から見たイオンユニットと本体ベースの斜視図である。
【図５】図５は本発明の実施の一例の本体カバーを要部断面図とした状態の平面図である。
【図６】図６は本発明の実施の一例の香料ユニットの拡大分解図で、発香ポットとポンプと香料容器の要部断面分解図である。
【図７】図７は本発明の実施の一例の香料ユニットの拡大分解図で、発香ポットとポンプと香料容器の背面図を示す。
【図８】本発明の実施の一例のアクチュエータユニットの拡大平面図である。
【図９】図９は本発明の実施の一例のアクチュエータユニットの拡大背面図である。
【図１０】図10は本発明の実施の一例のアクチュエータユニット拡大要部断面側面図で、駆動用形状記憶合金製ワイヤのワイヤ掛け状態を示す。
【図１１】図11は本発明の実施の一例の  アクチュエータユニットの拡大要部断面側面図で解除用形状記憶合金製ワイヤのワイヤ掛け状態を示す。
【図１２】図12は本発明の実施の一例のアクチュエータユニットに組込まれる主な部品の拡大分解斜視相関図である。
【図１３】図１３は本発明の実施の一例のアクチュエータユニットに香料ユニットを装着した状態の拡大要部断面図で、(a)は発香停止状態を示し、(b)は駆動形状記憶合金ワイヤに通電することによって香料ポンプが押し下げられポット蓋がアクチュエータフレームの蓋開きリブに作用して開いた状態を示す。
【発明を実施するための形態】
【００１６】
以下、本発明の実施の形態の概要は以下の通りである。
【００１７】
本体ベース１０上に可視光応答型光触媒をコーティングした本体カバー３０を装着し、その内部にイオン発生ユニット２４と形状記憶合金製ワイヤを駆動源とするアクチュエータユニット６０と香料ユニット４０からなる複数の香り発生ユニットを装着して、複数の香り発生ユニットから任意の好みの香りを選択発香できるようにして、本体カバー３０の前面にイオン拡散口３１を設け、頭頂部に香り拡散口３２を設け、本体ベース内に設けた吸気送風手段で内部から送風し、マイナスイオンと好みの香りを、好みの香り強度で外部へ放出拡散できるようにする。
【００１８】
形状記憶合金製ワイヤに通電制御して、形状記憶合金の自己抵抗による発熱と、形状記憶変態点以上の温度になると急速に形状記憶動作を起こし、形状記憶合金変態点以下の温度で容易に初期形状に変化させることのできる性質を用いて、発熱量と作動力の２作用を合理的に利用してアクチュエータ作用をせしめるようにして、香料容器内５９の香料液をディスペンサポンプ５４で発香ポット４１内に吐出されるようにし、形状記憶合金製ワイヤの発熱量で加温して、香料を蒸発拡散させることのできるアクチュエータユニット６０を構成し、香料ユニット４０と連携し、香りの発香及び停止並びに発香量のコントロールができるようにする。
【００１９】
可視光応答型光触媒の技術開発が進展し、室内光で空気清浄作用を発揮できる製品が次々と発表されている。例えば、佐賀県有特許によるTPX や、（株）大阪チタニウムテクノロジーズの光触媒
可視光型ゾルや、石原産業のMPT-623
や、東芝マテリアルの非Ti系製品や、産業技術総合研究所特許のWO3系製品など数多くの企業が開発しており、選定しコーティング素材として活用することができる。
本体カバー３０の外周に可視光応答型光触媒をコーティングし、本体ベース１０内に設けた吸気送風手段で、本発明の装置周辺の空気を移動対流させ、多くの空気を本体カバー３０に接触させるようにして、室内光で環境浄化作用を発揮させ、放出した香りの残香を分解消臭させるとともにマイナスイオンを放出して、浮遊粉塵の沈降を促し、室内空気の清浄化を行う。
以下、本発明の実施の一例を図面に基づき詳細に説明する。
【実施例】
【００２０】
図１は、略四角箱状の本体ベース１０上面中央部に僅かに突起するベースカバー用突起部１１を設け、円筒ドーム状の本体カバー３０を装着した状態の正面方向から見た要部断面図で、本体カバー３０の内空部にマイナスイオン発生ユニット２４と香料ユニット４０を取り付けた複数のアクチュエータユニット６０を収容する。
本体ベース１０部の左右側面部に設けた吸気口１３と、吸気送風手段としてのファン取付台２６と送風ファン２７と本体ベース１０中央部の送風筒１５を示し、送風筒１５上部のユニット取付部１６に複数のユニット接続部が設けられており、中央正面部にマイナスイオン発生器２２を取り付けたイオン風道２１を持つイオン発生ユニット２４を装着しており、左右のユニット接続部に香料ユニット４０を設置したアクチュエータユニット６０を示す。
【００２１】
図２は本体ベース１０に本体カバー３０を装着した状態の側面方向から見た要部断面図で、送風筒１５上部のユニット取付部１６のイオンユニット接続口１９の取付溝部にイオン発生ユニット２４を装着し、香りユニット接続口１７の取付溝部に香料ユニット４０を設置したアクチュエータユニット６０の装着接続状態を示す。
香料ユニット４０は、上部に位置する発香ポット４１が押し下げられポット蓋５０が開き香りを放出している状態を示す。
本体カバー３０は、頭頂部に香り拡散口３２を持ち、正面方向にイオン拡散口３１を持ち、本体カバー３０の外周面には可視光応答型光触媒をコーティングする。
イオン拡散口３１は、イオン発生ユニット２４からのマイナスイオンの放出拡散に適した位置とする。
本体ベース１０の側面部に設けた吸気口１３から送風ファン２７で吸い込んだ空気を送風筒内１５に送風し、一部をイオンユニット接続口１９からイオン風道２１へ送風し、マイナスイオン発生器２２のイオンニードル２３から放出されたマイナスイオンをイオン風道２１の送風によってイオン拡散口３１から室内空間に放出する。  
マイナスイオンの発生部及び放出経路には帯電防止処理を施しイオンの発生と放出を効率的に行えるようにする。
また、送風筒１５内への送風の一部は、香りユニット接続口からアクチュエータフレーム間を通して、発香ポット４１部へ送風する。
ポット蓋５０が開いた状態では発香ポット４１との間に空間が生じここから発香ポット４１開口部に送風が流入し、ポット内室４２内から立ち上がる香りと共に本体カバー３０の頭頂部の香り拡散口３２から室内空間に放出される。
【００２２】
図３は、本体ベース１０に本体カバー３０を装着した状態の背面方向から見た要部断面図で、真後ろと左右に位置する香料ユニット４０とアクチュエータユニット６０の３ユニットを収容した状態を示す。
【００２３】
図４は、斜め前方から見たイオン発生ユニット２４と本体ベース１０の斜視図である。
送風筒１５のユニット取付部１６の正面方向にイオンユニット接続口１９を設け開口部の両内側にユニット取付溝１８を設ける。
ユニット取付部１６の後面方向と左右面方向の３面に香りユニット接続口を設け、開口部の両内側にユニット取付溝１８を設ける。
イオン風道２１の後方端を取付リブとしてイオンユニット接続口１９のユニット取付溝１８に差し込み組み取り付けて、マイナスイオン発生器２２のイオンニードル２３をイオン風道２１の通風路側に向けて取り付け、イオン発生ユニット２４とする。
【００２４】
図５は、本体ベース１０に本体カバー３０を装着した状態の平面図で、本体カバーをイオン拡散口の高さ位置で切断面としている。
ユニット取付部１６への各ユニットの接続取付状態を示し、イオン発生ユニットと香料ユニット４０は３ユニット取付けており、本例においては３種類の香りを発生することができる。  
香料ユニット４０を設置したアクチュエータユニット６０を多数取り付けて、もっと多くの香種を発生できるようにしても良い。
【００２５】
図６は、香料ユニット４０の拡大図で、発香ポット４１とディスペンサポンプ５４と香料容器５９の拡大分解要部断面図を示す。
発香ポット４１は、カップ形状で内部をポット内室４２として、内底部に底面より突起した小径のノズル突起４４を持ち、ノズル突起中心部に下方に貫通する香料の吐出穴を持ち、その下部にプランジャ接続穴４５を持たせる。ノズル突起上面部から中央を左右に横切るノズル溝４６を設けその上部にノズルキャップ４７を取り付ける。
発香ポット４１の内底部のノズル突起４４を除いた部分に極薄の不織布又はパルプ材などで造られた拡散シート５３を敷いて吐出された香料を速やかに内底部に拡散させる。
発香ポットの外側下面にガイド４３を設けて発香ポットの姿勢の安定に寄与させる。
香料を香料容器５９内から吸い込み発香ポット４１内に吐出するディスペンサポンプ５４を用い、段付のポンプハウジングの中央部にポンプシリンダ５５を内蔵し、ポンプ作動用プランジャ５６をポンプシリンダ５５から上部に突出している。
ディスペンサポンプ５４は、香粧品ポンプとして一般に普及しているものを使用することができ、プッシュボタン部を発香ポット４１に置き換えた構造とすることができる。
ポンプハウジングの外周段付部にポンプ取付フランジ７７を固着する。
発香ポット４１の後面側上部にポットアーム４９を設けてアーム端部に支点軸５２を設けてポット蓋５０の後面側に設けた蓋アーム５１と支点接続して発香ポット４１とポット蓋５０を開閉できるようにする。
【００２６】
図７は、図６に示す香料ユニットを背面方向から見たもので発香ポットとポンプと香料容器の拡大分解背面図を示す。
発香ポット４１の後面側下方の、形状記憶合金製ワイヤの掛け渡し位置と干渉しない位置に押下突起４８と掛止突起５８を設ける。
【００２７】
図８は、アクチュエータユニット６０の拡大平面図で、香料ユニット４０を差し込み設
置するためのテーブル切込穴７５を中央に持つアクチュエータテーブル７４の後方側上面に左右のアクチュエータフレーム６１を立ち上げて設け、アクチュエータフレーム６１上面に左右をつなぐフレーム上板６４を設ける。
フレーム上板６４の中央に後述する起点ワイヤ掛８１の調整用ネジ取付穴を設け、フレーム上板６４の後方左右端部付近に解除用ワイヤ掛穴７０を設ける。
左右のアクチュエータフレーム６１の前方外側に蓋開きリブ６３を設け、後方外側に取付リブ６２を設ける。
左右のアクチュエータフレーム６１間に取り付けられる機構部品については、後述する。
アクチュエータテーブル７４の上面のテーブル切込穴７５の左右に設置ガイド７６を設ける。
【００２８】
図９、図１０、図１１、図１２に沿って、アクチュエータユニット６０を説明する。
左右のアクチュエータフレームの６１上部に軸案内溝６５を設け、上方付近に起点軸穴６６を設け、その下方に稼動支点軸穴６７を設け、さらに下方にローラ軸穴６８を設ける。
起点ワイヤ掛８１の前方にワイヤ掛け溝８３を設け後方に調整ネジ穴８４を設け中央に軸穴８２を設け起点軸７１を通してアクチュエータフレーム６１の起点軸穴６６で支持し、調整用ネジ６９を接続する。
稼動ワイヤ掛８６の前方端下面を作動爪として前方端から中央部に至る稼動ワイヤ掛溝８８を設け後方端に軸穴を設け稼動軸７２を通してアクチュエータフレーム６１稼動軸穴６７で支持する。
複数のワイヤ掛け溝を持つワイヤローラ９１を設け中心にローラ中心穴９３を設けローラ軸７３を通してアクチュエータフレームのローラ軸穴６８で支持する。
ワイヤローラ９１より上方で稼動ワイヤ掛８６より下方位置にセンサ台９９をアクチュエータフレーム６１の後方側に取り付ける。
稼動ワイヤ掛８６の作動後の復帰用にワイヤ掛バネ８９を稼動ワイヤ掛８６と稼動軸７２とセンサ台９９間に取り付ける。
ワイヤローラ９１端面とアクチュエータフレーム６１間のローラ軸７３部にフックバネ９４とローラ軸７３を支点として揺動可能としたフック９５を取り付ける。
駆動用形状記憶合金製ワイヤ１０１を稼動ワイヤ掛８６の稼動ワイヤ溝８８からワイヤローラ９１のワイヤ溝９２をまわして起点ワイヤ掛８１のワイヤ掛溝８３に引き掛けて戻し再びワイヤローラ９１のワイヤ溝９２をまわして稼動ワイヤ掛８６の稼動ワイヤ掛溝８８へ戻すように掛け渡す。これを必要とする作動力が得られるよう複数回掛け渡してよく本例においては２回掛け渡して４列としている。
この駆動用形状記憶合金製ワイヤ１０１の両端に駆動端子１０２を設け通電できるようにする。
駆動用形状記憶合金製ワイヤ１０１の温度を検出して通電制御するためセンサ台９９に温度センサ１０５を取り付けて駆動用形状記憶合金製ワイヤ１０１に接するよう配置する。
フック９５の一端にワイヤ穴９８を設け、解除用形状記憶合金製ワイヤ１０３の一端を固定しもう一端をセンサ台９９の端部を切り込みワイヤ案内部１００として設けてここを通過させてフレーム上板６４に設けた解除用ワイヤ掛穴７０に通し解除端子１０４で止める。両端を解除端子１０４で止めて通電できるようにする。
この解除用形状記憶合金製ワイヤ１０３に通電制御してフックバネ９４に抗してフック９５を揺動解除する。
【００２９】
図１３は、アクチュエータユニット６０に香料ユニット４０を装着した状態の拡大要部断面で、(a)は初期状態でポット蓋を閉じた発香停止状態を示している。
ディスペンサポンプ５４のプランジャ５６が内部スプリングで押し上げられディスペンサポンプ５４の初期状態であり、プランジャ５６の上部に発香ポット４１が接続支持されている。
発香ポット４１は上限位置でポット蓋５０により閉止されており、稼動ワイヤ掛８６が初期状態でその先端の作動爪部が発香ポット４１後側面の押下突起４８より僅かに上位置にある。
フック９５は解除状態にありその先端が掛止突起４８の後下方にある。
起点ワイヤ掛８１とワイヤローラ９１間に位置する駆動用形状記憶合金製ワイヤ１０１の一部がポット後側面の一部に接しており、駆動用形状記憶合金製ワイヤ１０１の熱が発香ポット４１に伝熱されるよう計画されている。
(b)は駆動用形状記憶合金製ワイヤ１０１に通電、ホット蓋５０が開き香りの発散状態を示している。
初期状態から駆動用形状記憶合金製ワイヤ１０１に通電すると、自己抵抗で次第に発熱していき、発香ポット４１に伝熱していく。
駆動用形状記憶合金製ワイヤ１０１の温度が形状変化する変態温度に達すると急速に長さ方向に縮小を始める。基点ワイヤ掛８１は調整ネジ６９で揺動を規制されているので駆動用形状記憶合金製ワイヤ１０１が縮小するとワイヤローラ９１を介して稼動ワイヤ掛８６が引き寄せられ稼動軸７２を中心に揺動することになる。稼動ワイヤ掛８６の支点穴８７位置から稼動ワイヤ掛溝８８迄と先端の作動爪迄の長さが異なることから先端の作動爪部は駆動用形状記憶合金製ワイヤ１０１の縮小寸法より比例拡大され動作し、押下突起４８を下方に押し下げていくとき発香ポット４１とポット蓋５０をつなぐ開閉支点軸５２がアクチュエータフレーム６１上部に設けた軸案内溝６５に入り込みつつ下降し発香ポット４１の姿勢安定を保つ。このとき蓋アーム５１がアクチュエータフレーム６１の蓋開きリブ６３に押し当てられ下降に従ってポット蓋５０が開いていく。  プランジャ５６の下降によってディスペンサポンプ５４の作用でプランジャ５６先端から香料液が吐出され
発香ポット４１内のノズル突起部４４の吐出溝４６から発香ポット４１内底部に吐出される。
発香ポット４１内底部には拡散シート５３が敷かれており、吐出された香料液が素早く広がる。
発香ポット４１とその後側面の掛止突起４８が下限まで下がるとフック９５がフックバネ９４の作用で揺動され掛止突起５８を掛止し、発香ポット４１が下限位置で保持され、ポット蓋５０が開いた状態で保持される。
駆動用形状記憶合金製ワイヤ１０１への通電量を制限して、その温度が形状記憶変態温度以下になっても発香ポット４１は下限でフック９５により保持されており、香りの拡散が継続されることから、駆動用形状記憶合金製ワイヤ１０１への通電量を制御して、室温の低温度から形状記憶合金素材の繰り返し許容加熱限度温度まで大幅な制御温度範囲を活用できることになり、香種に応じた適温の選択範囲が広がり、発香ポット４１に伝熱して香料に加温し、発香量をコントロールすることができる。
フック９５の一端とフレーム上板６４に掛け渡した解除用形状記憶合金製ワイヤ１０３に通電し、自己発熱による温度上昇で形状記憶変態温度以上になると解除用形状記憶合金製ワイヤ１０３が長さ方向に縮小し、フックバネ９４に抗してフック９５が掛止突起５８から揺動解除される。
駆動用形状記憶合金製ワイヤ１０１への通電を停止し、送風ファン２７の送風で変態点温度以下に下がり、フックが解除されると、ディスペンサポンプ５４のプランジャ５６が内部スプリングによって押し上げられ、発香ポット４１に上昇力が加わり押下突起４８が上昇するとき、稼動ワイヤ掛８６先端の作動爪部を押し上げる、このときワイヤ掛バネ８９も稼動ワイヤ掛８６を初期状態に戻すよう作用し、駆動用形状記憶合金製ワイヤ１０１を引き延ばし初期位置に復帰していく。
発香ポット４１の上昇に伴ってポット蓋５０は次第に閉じていき初期位置に復帰したときには完全にポット蓋５０を閉じ香りの拡散を停止する。
【産業上の利用可能性】
【００３０】
本発明は、複数の香源から任意の香りを選択し発香でき、小室内から広室内まで広範囲に適正な発香量を設定でき、使用後の残香を室内光で分解消臭し、併せてマイナスイオンを拡散放出して室内空気の清浄化ができ、快適性とやすらぎを提供する室内空間の改善を図る環境機器として広く利用することができる。
【符号の説明】
【００３１】
１０  本体ベース        
１３  吸気口            
１５  送風筒
１６  ユニット取付部    
１７  香りユニット接続口  
１８  ユニット取付溝
１９  イオンユニット接続口
２１  イオン風道
２２  マイナスイオン発生器
２４  イオン発生ユニット
２７  送風ファン
３０  本体カバー  
３１  イオン拡散口  
３２  香り拡散口
４０  香料ユニット      
４１  発香ポット        
４８  押下突起
４９  ポットアーム
５０  ポット蓋    
５１  蓋アーム            
５３  拡散シート        
５４  ディスペンサポンプ  
５６  プランジャ        
５９  香料容器    
６０  アクチュエータユニット
６１  アクチュエータフレーム  
６３  蓋開きリブ
７４  アクチュエータテーブル  
８１  起点ワイヤ掛    
８３  ワイヤ掛溝        
８６  稼動ワイヤ掛    
８８  稼動ワイヤ掛溝
９１  ワイヤローラ      
９５  フック              
１０１  駆動形状記憶合金ワイヤ  
１０３  解除形状記憶合金ワイヤ  
１０５  温度センサ
【図１】
2010167168.tif 000003
【図２】
2010167168.tif 000004
【図３】
2010167168.tif 000005
【図４】
2010167168.tif 000006
【図５】
2010167168.tif 000007
【図６】
2010167168.tif 000008
【図７】
2010167168.tif 000009
【図８】
2010167168.tif 000010
【図９】
2010167168.tif 000011
【図１０】
2010167168.tif 000012
【図１１】
2010167168.tif 000013
【図１２】
2010167168.tif 000014
【図１３】
2010167168.tif 000015